(57)【要約】【課題】  暴力的な盗犯に対して有効であるとともに、シリンダ錠の交換が簡単に行える扉用ロック装置を提供する。【解決手段】  ボックス本体１に固着される本体ケース４と；本体ケース４の受孔３に嵌挿される控え棒部分５と、控え棒部分５に連設され、扉２に対面する押え棒部分６とからなり、控え棒部分５に複数個のロック孔８を形成したロック棒７と；バネ９に付勢されてロック孔８に係合するラッチ１０と；固定外筒１１にセットリング１２を螺合し、ラッチ１０をロック孔８に係合しない位置へ駆動する操作カム１３が、回転内筒１４に連結されたシリンダ錠１５と；受孔３に連通する本体ケース４のガイド溝１６に嵌挿され、先端二股部１７がセットリング１２の周面溝１８に係合するストッパープレート１９と；ストッパープレート１９の前方位置において、ロック孔８に挿入固定されるロケーションピン２０とから成る。【選択図】  図６
2005307460.tif 000002
【特許請求の範囲】
【請求項１】
ボックス本体１の左右一方の側面に固着され、前後方向に貫通した受孔３を有する本体ケース４と；ボックス本体１の前後方向に長く、本体ケース４の受孔３に前後方向に移動可能に嵌挿される控え棒部分５と、控え棒部分５の前端部に直角に連設され、ボックス本体１の左右方向に長く、扉２の前面に対面する押え棒部分６とからなり、控え棒部分５の下側面にその長さ方向に所定間隔を置いて複数個のロック孔８を列状に形成してあるロック棒７と；本体ケース４内にボックス本体１の上下方向に移動可能に収納され、バネ９に付勢されてロック棒７の前記ロック孔８のいずれか一つに先端部が係合するラッチ１０と；固定外筒１１が本体ケース４に回転不能に収納され、固定外筒１１の外周螺子部にセットリング１２を螺合してあり、ラッチ１０をロック孔８に係合しない位置へ駆動する操作カム１３が、回転内筒１４の後端部に連結されているシリンダ錠１５と；前記受孔３に連通する本体ケース４の上下方向のガイド溝１６に嵌挿され、先端二股部１７が前記セットリング１２の周面溝１８に係合することによって、シリンダ錠１５を抜取り不能に拘束するストッパープレート１９と；ストッパープレート１９の前方位置において、ラッチ１０が係合するロック孔８から所定個数離れた位置にあるロック孔８に挿入固定されるロケーションピン２０とから成る自動販売機等の扉用ロック装置。
【発明の詳細な説明】
【技術分野】
【０００１】
本発明は、自動販売機等のボックス本体に対して扉を開放不能に拘束するのに使用されるロック装置に関する。
【背景技術】
【０００２】
屋外に設置される自動販売機は夜間等に盗犯の対象となり易く、盗犯防止のために種々の扉用ロック装置が提案されている。現在の盗犯の手口としては、電動ドリルでシリンダ錠の回転内筒の鍵孔の周辺部を穿孔し、回転内筒に組み込まれたピンタンブラー等の錠機構を破壊する、あるいは鍵孔にねじ込んだビスの頭部に釘抜き用バールを掛け、回転内筒をシリンダ錠の固定外筒から引き抜くことによって錠機構を破壊するという、暴力的な方法が多くなってきている。また、最近ではシリンダ錠には手を触れず、ボックス本体の前面と扉の後面との間にバールを差し込み、無理やりに扉を抉じ開けようとする乱暴な盗犯も出現している。
【０００３】
このような盗犯手口に対抗するために、Ｌ字状のロック棒を使用する扉用ロック装置が提案されている（特許文献１参照）。この扉用ロック装置では、ボックス本体の左右一方の側面に固着される本体ケースは、前後方向に貫通した受孔を有しており、ロック棒は、ボックス本体の前後方向に長く、本体ケースの前記受孔に前後方向に移動可能に嵌挿される控え棒部分と、控え棒部分の前端部に直角に連設され、ボックス本体の左右方向に長く、扉の前面に対面する押え棒部分とからなる。ロック棒の前記控え棒部分の側面部には、鋸歯を配設してある。本体ケース内に移動可能に収納されたラッチは、バネに付勢されて前記受孔内に先端部が、前記鋸歯のいずれか一つに係合する。本体ケ−ス内に収納された操作レバーは、前後方向の軸ピンを中心に揺動して前記ラッチを前記鋸歯に係合しない位置に駆動する。本体ケース内に収納固着されたシリンダ錠は、前記操作レバーを駆動する操作カムを回転内筒に固着してある。前記鋸歯はロック棒の移動方向に対して傾斜した第１カム斜面と、ロック棒の移動方向に対して直角な停止面を有する。前記ラッチの先端部には、ラッチの移動方向に対して傾斜した第２カム斜面と、ラッチの移動方向に沿った阻止面を設けてある。
【０００４】
このように構成された扉用ロック装置は、ボックス本体の前面と扉の後面との間にバールを差し込み、無理やりに扉を抉じ開けようとする盗犯に対しては有効なものである。
しかしながら、本体ケースに対するシリンダ錠の装着は、本体ケースをボックス本体に装着する前の段階において、本体ケースの裏側からなされており、シリンダ錠は本体ケースの正面側からは取外せない構造になっているため、シリンダ錠が何等かの手段によって破壊され使用不能になってしまった場合には、シリンダ錠の交換の都度、本体ケースをボックス本体から取外さなければならず、交換作業に大変な手間がかかった。
【０００５】
また、控え棒部分の側面部に前記形状の鋸歯を設ける作業は煩雑であり、ロック棒の加工コストが嵩むものであった。
【０００６】
【特許文献１】特許第２８５２２４９号公報
【発明の開示】
【発明が解決しようとする課題】
【０００７】
本発明の課題は、バールの差込による暴力的な盗犯に対して有効であるとともに、シリンダ錠の交換作業が簡単に行え、また、ロック棒の控え棒部分の加工コストを節減できる自動販売機等の扉用ロック装置を提供することである。
【課題を解決するための手段】
【０００８】
本発明の扉用ロック装置は、ボックス本体１の左右一方の側面に固着される本体ケース４は、前後方向に貫通した受孔３を有し、ロック棒７は、ボックス本体１の前後方向に長くて、本体ケース４の受孔３に前後方向に移動可能に嵌挿される控え棒部分５と、控え棒部分５の前端部に直角に連設され、ボックス本体１の左右方向に長くて、扉２の前面に対面する押え棒部分６とからなる。前記控え棒部分５の下側面には、その長さ方向に所定間隔を置いて複数個のロック孔８を列状に形成してあり、本体ケース４内にボックス本体１の上下方向に移動可能に収納されたラッチ１０は、バネ９に付勢されてロック棒７の前記ロック孔８のいずれか一つに先端部が係合する。
【０００９】
シリンダ錠１５の固定外筒１１は、本体ケース４内に回転不能に収納され、固定外筒１１の外周螺子部にはセットリング１２を螺合してある。シリンダ錠１５の回転内筒１４の後端部には、前記ラッチ１０をロック孔８に係合しない位置へ駆動する操作カム１３が連結されている。前記受孔３に連通する本体ケース４の上下方向のガイド溝１６に嵌挿されるストッパープレート１９は、その先端二股部１７が前記セットリング１２の周面溝１８に係合することによって、シリンダ錠１５を抜取り不能に拘束する。ストッパープレート１９の前方位置において、ラッチ１０が係合するロック孔８から所定個数離れた位置にあるロック孔８には、ロケーションピン２０が挿入固定される。
【００１０】
このように構成された扉用ロック装置では、ロック棒７による扉２の拘束を解除するには、所定の鍵２１を回転内筒１４の鍵孔２２に挿入し、回転内筒１４を所定方向に所定角度回転させる。この回転操作によって操作カム１３がバネ９の付勢に抗してラッチ１０を引き戻し駆動するため、ラッチ１０の先端部が控え棒部分５のロック孔８から脱出し、ロック棒７の前方移動が許容される。鍵２１を指で押えたまま、ロック棒７を本体ケース４の受孔３から抜き取ると、押え棒部分６による扉２の拘束が解かれるので、扉２は蝶番軸２３を中心に開放させられる。
【００１１】
商品の詰め替え作業や硬貨の収納作業が終了した後、扉２を閉鎖し、シリンダ錠１５から鍵２１を抜き取って状態で、本体ケース４の受孔３にロック棒７の控え棒部分５を嵌挿する。ロケーションピン２０が本体ケース４の前面壁部の基準面３５に当接するまで嵌挿されたとき、ラッチ１０の先端部は、ロケーションピン２０の挿入位置によって予め選定された特定のロック孔８に対面する位置に来ており、ラッチ２０の先端部はバネ９の付勢によって瞬時に当該ロック孔９に係合する。これによって、ロック棒７は、押え棒部分６が扉２に対面した扉拘束位置に錠止される。ロケーションピン２０が挿入固定されるロック孔８の位置は、扉２の前後方向の厚さ寸法によって変更される。
【発明の効果】
【００１２】
本発明では、ボックス本体１の側面に固着した本体ケース２の受孔３にロック棒７の控え棒部分５を嵌挿し、控え棒部分５に直角に連設した押え棒部分６を扉２の前面に対面させ、本体ケース４に内蔵したラッチ１０の先端部を控え棒部分５のロック孔８に係合させることによって、ロック棒７を扉拘束位置に錠止するものであるから、ボックス本体１の前面と扉２の背面間にバールを差し込んで無理やりに扉２を抉じ開けようとする盗犯に対して高い抵抗力を発揮する。
【００１３】
控え棒部分５のロック孔８に係合するラッチ９は、シリンダ錠１５の背後に収容されているため、電動ドリルでシリンダ錠１５の回転内筒１４の鍵孔周辺部を穿孔して、内部の錠機構を破壊できたとしても、バネ９の付勢によるラッチ１０とロック孔８の係合状態を消失させることはできない。このようにラッチ１０とロック孔８の係合状態は温存されるので、ロック棒７を前方に移動させることができない。すなわち、電動ドリルによるシリンダの暴力破壊に対しても抵抗力が強い。
【００１４】
ロック棒７の控え棒部分５を本体ケース４の受孔３から抜き取れば、空っぽとなった受孔３を通してストッパープレート１９にアクセスでき、ストッパープレート１９を引き上げることによって、先端二股部１７をセットリング１２の周面溝１８から脱出させ、シリンダ錠１５を本体ケース４から抜き取ることができる。
すなわち、シリンダ錠１５が何らかの手段によって破壊され、その交換の必要が発生しても、シリンダ錠１５の交換作業は本体ケース４の前面側から行なえ、本体ケース４をボックス本体１からその都度取外す必要がないので、シリンダ錠１５の交換作業が迅速に行なえる。
【００１５】
また、ラッチ１０の先端部が係脱するロック孔８は、控え棒部分５の長手方向軸線と交差するように切削加工される円孔であるから、ラッチの係合相手を鋸歯とした従来装置と比較して、ロック棒７の加工コストが節減される。
【実施例】
【００１６】
図示の実施例では、ロック棒７の控え棒部分５の先端部には、割溝２４が形成されており、割溝２４には抜け止めプレート２５が転回可能に嵌め込まれ、抜け止めプレート２５のスロット２６には控え棒部分５に固定された横断ピン２７が挿通されている。割溝２４の底面には、ボール収容孔２８が長さ方向に形成され、これには圧縮コイルバネ２９で突出方向に付勢されたクリックボール３０が収容されている。
【００１７】
抜け止めプレート２５の長辺側の側面に形成された第１凹部３１にクリックボール３０が係合しているときには、抜け止めプレート２５は、長さ方向中心線が控え棒部分５の長さ方向中心線と交差する位置に保持され、抜け止めプレート２５の両端部は控え棒部分５の側面から突出している。これによって抜け止めプレート２５は、ロック棒７の控え棒部分５が本体ケース４の受孔３から抜け出るのを阻止している。
抜け止めプレート２５の短辺側の側面に形成された第２凹部３２にクリックボール３０が係合しているときには、抜け止めプレート２５の長さ方向中心線は控え棒部分５の長さ方向中心線と整列しており、抜け止めプレート２５は、本体ケース４の受孔３から控え棒部分５が抜け出るのを阻止し得ない位置にある。
【００１８】
本実施例では、ロケーションピン２０は、長さ方向にスリットのあるスプリングピンによって構成されている。ロケーションピン２０は、控え棒部分５を扉２の厚さに対応して前後方向に適当に移動調整した後、本体ケース４の前面側に突き出た一番手前の位置にあるロック孔８に基端部分が差し込み固定される。ロケーションピン２０はストッパープレート１９を隠蔽する役目も果たしている。
ラッチ１０の本体部分の側面には、操作カム１３の偏心突起３３が嵌め込まれる受動溝３４が形成されている。ロック孔８に係脱するラッチ１０の先端部１０ａは、ロック孔８に符合した丸棒状に形成されている。本体ケース４に上下方向に形成されたラッチ用ガイド溝孔３６の下部には、圧縮コイルバネよりなる付勢バネ９が収容されている。ラッチ１０の下面にはバネ受孔３７が形成されている。
【００１９】
本体ケース４の中間仕切り壁部３８には、小判形透孔３９が形成されており、シリンダ錠１５の固定外筒１１の後端部の外周断面は同様の小判形に形成され、固定外筒１１は本体ケース４に回転不能に収容されている。シリンダ錠１５の回転内筒１４の後端部は小判形断面に形成され、操作カム１３の偏心突起３３の基端部には、同様な小判形の開口４０が形成され、操作カム１３は回転内筒１４に相対回転不能に連結されている。本体ケース４の前面壁部４１には、固定外筒１１の外周断面と符合する円形収容孔４２が形成されている。
【００２０】
本体ケ−ス４とボックス本体１の間にはベースプレート４３が挿入されており、両者はビス４４によって締付け固着されている。本体ケース４とベースプレート４３は、ボックス本体１の内側からビス４５によってボックス本体１に締付け固着されている。本体ケース４の上部側の前面壁部４６は、前記受孔３を囲むようにして前面側にテーパー状に延長形成されており、ロック棒７の曲げに対する強度を高めている。
前記テーパー状前面壁部４６の下側面部には、ストッパープレート１９の出し入れの便宜のために開口部４７が形成されている。ストッパープレート１９の上端部には、摘み部４８が形成されている。
【図面の簡単な説明】
【００２１】
【図１】本発明の一実施例に係る扉用ロック装置を装着した自動販売機の全体的な平面図であり、扉は閉鎖状態に拘束されている。
【図２】図１の自動販売機の要部の拡大平面図である。
【図３】図１の自動販売機の要部の右側面図である。
【図４】図１の自動販売機の要部の正面図である。
【図５】図１の扉用ロック装置の一部を水平断面で示した平面図である。
【図６】図５のＡ−Ａ線断面図である。
【図７】図１の扉用ロック装置に用いた本体ケースの正面図である。
【図８】図７の本体ケースの左側面図である。
【図９】図７のＢ−Ｂ線断面図である。
【図１０】図８のＣ−Ｃ線断面図である。
【図１１】図８のＤ−Ｄ線断面図である。
【図１２】図８のＥ−Ｅ線断面図である。
【図１３】図８のＦ−Ｆ線断面図である。
【図１４】図１の扉用ロック装置に用いたストッパープレートの正面図である。
【図１５】図１４のストッパープレートの平面図である。
【図１６】図１４のストッパープレートの左側面図である。
【図１７】図１の扉用ロック装置に用いた操作カムの背面図である。
【図１８】図１７の操作カムの左側面図である。
【図１９】図１の扉用ロック装置に用いたラッチの背面図である。
【図２０】図１９のラッチの左側面図である。
【符号の説明】
【００２２】
１    ボックス本体
２    扉
３    受孔
４    本体ケース
５    控え棒部分
６    押え棒部分
７    ロック棒
８    ロック孔
９    バネ
１０  ラッチ
１１  固定外筒
１２  セットリング
１３  操作カム
１４  回転内筒
１５  シリンダ錠
１６  ガイド溝
１７  先端二股部
１８  周面溝
１９  ストッパープレート
２０  ロケーションピン
２１  鍵
２２  鍵孔
２３  蝶番軸
２４  割溝
２５  抜け止めプレート
２６  スロット
２７  横断ピン
２８  ボール収容孔
２９  圧縮コイルバネ
３０  クリックボール
３１  第１凹部
３２  第２凹部
３３  偏心突起
３４  受動溝
３５  基準面
３６  ラッチ用ガイド溝孔
３７  バネ受孔
３８  中間仕切り壁部
３９  小判形透孔
４０  小判形開口
４１  前面壁部
４２  円形収容孔
４３  ベースプレート
４４  ビス
４５  ビス
４６  テーパー状前面壁部
４７  開口部
４８  摘み部
【図１】
2005307460.tif 000003
【図２】
2005307460.tif 000004
【図３】
2005307460.tif 000005
【図４】
2005307460.tif 000006
【図５】
2005307460.tif 000007
【図６】
2005307460.tif 000008
【図７】
2005307460.tif 000009
【図８】
2005307460.tif 000010
【図９】
2005307460.tif 000011
【図１０】
2005307460.tif 000012
【図１１】
2005307460.tif 000013
【図１２】
2005307460.tif 000014
【図１３】
2005307460.tif 000015
【図１４】
2005307460.tif 000016
【図１５】
2005307460.tif 000017
【図１６】
2005307460.tif 000018
【図１７】
2005307460.tif 000019
【図１８】
2005307460.tif 000020
【図１９】
2005307460.tif 000021
【図２０】
2005307460.tif 000022